(57)【要約】      （修正有）【課題】衛生的で、使用上便利であり、かつ構造が簡易な、カバー層を備えたカップ蓋の提供。【解決手段】本発明のカバー層２０を備えたカップ蓋は、カップのカップ口に被せる蓋体１０と、カバー層２０を含み、該蓋体１０は外側の蓋体中央からずれた位置に上に隆起した隆起部１１を備え、該隆起部１１の上端にキャップ部１２が一体に連接され、連接箇所が連接部であり、該連接部が薄い壁状で容易に切断できる構造であり、該キャップ部１２に外力を加えて引っ張ることで該連接部を切断することができ、互いに分離させた後、開口が露出され、該隆起部１１と該キャップ部１２の接続箇所に露出させた該開口を用いてカップの中の飲料を飲用することができる。【選択図】図１
2020019566.tif 000002
【特許請求の範囲】
【請求項１】
カバー層を備えたカップ蓋であって、蓋体と、カバー層を含み、該蓋体はカップのカップ口に被せるために用いられ、外側の蓋体中央からずれた位置に上に隆起した隆起部を備え、該隆起部の上端にキャップ部が連接され、該キャップ部と該隆起部が一体を成し、該キャップ部と該隆起部の連接箇所が連接部であり、該連接部が薄い壁状で容易に切断できる構造であり、該キャップ部に外力を加えて引っ張ることで該連接部を切断することができ、該キャップ部と該隆起部を互いに分離させた後、隆起部の上端に開口が露出され、該カバー層は該キャップ部の外側に接合され、該カバー層が該隆起部と該キャップ部の上方を被覆し、力を加えて該連接部を切断した後、同時に該キャップ部と該カバー層を該隆起部から分離させ、該開口を露出させることができることを特徴とする、カバー層を備えたカップ蓋。
【請求項２】
前記蓋体が、ＰＥまたはＰＰ材料により一体成型されて成る薄いシェル状物であることを特徴とする、請求項１に記載のカバー層を備えたカップ蓋。
【請求項３】
前記蓋体の内側に環状の凹陥溝が設けられ、該凹陥溝の辺縁に該凹陥溝の中央方向に向かって若干突出した突出部が形成され、該蓋体を該凹陥溝と該突出部によりカップのカップ口辺縁に嵌合させることができることを特徴とする、請求項１に記載のカバー層を備えたカップ蓋。
【請求項４】
前記隆起部と該キャップ部の連接箇所の該連接部が密着した水を通さない構造であることを特徴とする、請求項１に記載のカバー層を備えたカップ蓋。
【請求項５】
前記カバー層がプラスチック片であることを特徴とする、請求項１に記載のカバー層を備えたカップ蓋。
【請求項６】
前記カバー層が接着剤により該キャップ部の外側に接着されたことを特徴とする、請求項１に記載のカバー層を備えたカップ蓋。
【請求項７】
前記カバー層が超音波溶着により該キャップ部の外側に接合されたことを特徴とする、請求項１に記載のカバー層を備えたカップ蓋。
【請求項８】
前記蓋体の頂部外側に該蓋体に凹陥した収容槽が設けられ、該隆起部から分離した後の該キャップ部を該キャップ部外側に接合された部分の該カバー層と共に該収容槽に押し入れることができることを特徴とする、請求項１に記載のカバー層を備えたカップ蓋。
【請求項９】
前記蓋体がカップと外部の大気を連通する通気孔を備えていることを特徴とする、請求項１に記載のカバー層を備えたカップ蓋。
【発明の詳細な説明】
【技術分野】
【０００１】
本発明はカバー層を備えたカップ蓋に関し、特に、衛生的で、使用上便利であり、かつ構造が簡易な、カバー層を備えたカップ蓋に関する。
【背景技術】
【０００２】
コーヒーや紅茶、ミルクティーなどの手作り飲料を入れるために用いるカップは、多くが使い捨ての紙コップまたはプラスチック製カップであり、カップが揺れたり、倒れたりして飲料が漏れ出ることがないように、通常カップのカップ口が密閉される。カップ口を密閉するためのよく見受けられる方法には、ビニルフィルムをヒートシールして密封する方法や、取り外し可能なプラスチック製カップ蓋を使用してカップのカップ口を密封する方法がある。
【０００３】
タピオカミルクティーなどの一般的な手作り飲料では、ビニルフィルムをヒートシールしてカップのカップ口を密封する方法がよく使用される。このようなヒートシール用のビニルフィルムは通常ヒートシール機を利用してカップのカップ口にしっかり接着されるが、このようなヒートシール用のビニルフィルムは靭性が非常に強く、先端が尖ったストローや器物をフィルムに直接刺す以外、手でフィルムを直接剥がすことは困難であり、使用上比較的不便であるだけでなく、ヒートシール機を使用しなければならないため、設備コストが増加する。
【０００４】
世界的に著名なスターバックス（Ｓｔａｒｂｕｃｋｓ）社がその販売するコーヒー飲料を入れるために用いるカップは、ほとんどが取り外し可能なプラスチック製カップ蓋を採用してカップのカップ口を密封している。また、国内のほとんどのコンビニエンスストアチェーンで販売されているコーヒーも類似のプラスチック製カップ蓋を使用してカップのカップ口を密封している。消費者がカップ蓋を取り外さなくてもコーヒーを飲用できるようにするため、このようなプラスチック製カップ蓋の構造には飲み口が設計されているが、この飲み口は封鎖されておらず、保存と使用時に衛生と汚染の恐れがある。
【０００５】
すでに登録済みの台湾実用新案証書第Ｍ５９３５２４Ｕ号は、カップに被せて使用するカップ蓋の構造改良を提示しており、カップ蓋と、封鎖片を含み、該カップ蓋は周縁に被着部が設けられ、該被着部表面に若干中心からずれて位置決め溝が設けられ、該位置決め溝の周縁の適切な位置に突起した飲み口と、該飲み口に対応し、かつ一定の間隔距離を保持した嵌合槽が設置され、該封鎖片が、該位置決め溝と相互に嵌合できる嵌合部と、一体として形成された延伸アームを備え、該延伸アームの端縁に１つ以上の角度を有するコの字形の折り曲げ部が形成され、該折り曲げ部のコの字形の凹陥した表面に凸部が設置され、相反する表面に自然に凹部が形成され、該凸部が該飲み口に吻合してこれを封鎖し、該凹部が該嵌合槽に吻合してこれを封鎖することができる。この特許技術が提示するカップ蓋の構造改良は、封鎖片を利用して飲み口を封鎖できるが、構造が比較的複雑である。
【先行技術文献】
【特許文献】
【０００６】
【特許文献１】台湾実用新案証書第Ｍ５９３５２４Ｕ号明細書
【発明の概要】
【発明が解決しようとする課題】
【０００７】
本発明の目的は、衛生的で、使用上便利であり、かつ構造が簡易な、カバー層を備えたカップ蓋を提供することにある。
【課題を解決するための手段】
【０００８】
上述の技術的問題を解決するため、本発明のカバー層を備えたカップ蓋の一実施例の構造は、カップのカップ口に被せる蓋体と、カバー層を含み、該蓋体は外側の蓋体中央からずれた位置に上に隆起した隆起部を備え、該隆起部の上端にキャップ部が連接され、該キャップ部と該隆起部が一体を成し、該キャップ部と該隆起部の連接箇所が連接部であり、該連接部が薄い壁状で容易に切断できる構造であり、該キャップ部に外力を加えて引っ張ることで該連接部を切断することができ、該キャップ部と該隆起部を互いに分離させた後、隆起部の上端に開口が露出され、該カバー層は該キャップ部の外側に接合され、該カバー層が該隆起部と該キャップ部の上方を被覆し、力を加えて該連接部を切断した後、同時に該キャップ部と該カバー層を該隆起部から分離させて該開口を露出させ、該隆起部と該キャップ部の接続箇所に露出された該開口を用いてカップの中の飲料を飲用することができる。
【０００９】
そのうち、蓋体の内側に環状の凹陥溝が設けられ、該凹陥溝の辺縁に該凹陥溝の中央方向に向かって若干突出した突出部が形成され、該蓋体を該凹陥溝と該突出部によりカップのカップ口辺縁に嵌合させることができる。
【００１０】
そのうち、該蓋体がＰＥまたはＰＰ材料により一体成型されて成る薄いシェル状物である。
【００１１】
そのうち、該隆起部と該キャップ部の連接箇所が水を通さない密閉構造である。
【００１２】
そのうち、該カバー層がプラスチック片である。
【００１３】
そのうち、該カバー層が接着剤により該キャップ部の外側に接合される。
【００１４】
そのうち、該カバー層が超音波溶着により該キャップ部の外側に接合される。
【００１５】
そのうち、該蓋体の頂部外側に該蓋体に凹陥した収容槽が設けられ、該隆起部から分離した後の該キャップ部を該キャップ部外側に接合された部分の該カバー層と共に該収容槽に押し入れることができる。
【００１６】
そのうち、該蓋体が該カップと外部の大気を連通されるために用いる通気孔を備えている。
【発明の効果】
【００１７】
本発明のカバー層を備えたカップ蓋の有益な効果としては、キャップ部が隆起部上端の開口を封鎖でき、衛生的で、飲料の汚染を防止することができ、カバー層を上に引っ張り、同時キャップ部と隆起部を分離できるため、使用上便利であり、構造が簡易である。
【図面の簡単な説明】
【００１８】
【図１】本発明のカバー層を備えたカップ蓋の一実施例の構造分解図である。
【図２】本発明のカバー層を備えたカップ蓋の一実施例の構造組立図である。
【図３】図２のＡ−Ａ線位置でのカバー層を備えたカップ蓋の断面構造図である。
【図４】本発明のカバー層を備えたカップ蓋の操作を示す断面図である。
【図５】本発明のカバー層を備えたカップ蓋の使用を示す立体図である。
【図６】図５のＢ−Ｂ線位置での断面構造図である。
【図７】本発明のカバー層を備えたカップ蓋の部分構造図であり、カバー層の外観構造を示す。
【図８】図７のＤ−Ｄ線位置での断面構造図である。
【図９】本発明のカバー層を備えたカップ蓋の別の一実施例の構造分解図である。
【発明を実施するための形態】
【００１９】
以下の実施するための形態において述べる上下左右を含む位置関係は、特別に記載がなければ、いずれも図面において示される方向に準じる。
【実施例１】
【００２０】
まず、図１と図２に示す本発明のカバー層を備えたカップ蓋の一実施例の構造分解図と構造組立図を参照する。
【００２１】
本発明のカバー層を備えたカップ蓋の一実施例の構造は、蓋体１０と、カバー層２０を含む。
【００２２】
そのうち、蓋体１０はカップＣのカップ口に被せるために用いられ、蓋体１０の外側の蓋体１０中央からずれた位置に上に向かって隆起した隆起部１１が設けられ、隆起部１１の上端にキャップ部１２が連接される。本発明の好ましい構造として、そのうち、隆起部１１とキャップ部１２の連接箇所は密着した水を通さない構造で、そのうち、キャップ部１２と隆起部１１は一体となった構造であり、蓋体１０の好ましい構造は、ＰＥ（ポリエチレン、Ｐｏｌｙｅｔｈｙｌｅｎｅ）またはＰＰ（ポリプロピレン、Ｐｏｌｙｐｒｏｐｙｌｅｎｅ）材料で一体成型された薄いシェル状物で、好ましい実施方法は、プラスチック射出成型技術でキャップ部１２と隆起部１１を同時に製作して完成され、生産・製造が容易である。そのうち、キャップ部１２と隆起部１１の連接箇所が連接部１３であり（図３参照）、該連接部１３は薄い壁状で、容易に切断できる構造であり、該キャップ部１２に対して力を加えることで該連接部１３を切断することができ（図４参照）、該キャップ部１２と該隆起部１１を分離させた後、該隆起部１１の上端に開口１４が露出され（図５参照）、使用者がこの開口１４を通じてカップＣの中の飲料を飲用することができる。
【００２３】
蓋体１０の好ましい構造として、蓋体１０の内側（カップＣに向けられる一側）に環状の凹陥溝１５が設けられ、凹陥溝１５の辺縁に凹陥溝１５の中央方向に向かって若干突出した突出部１６が形成され（図３参照）、蓋体１０を凹陥溝１５と突出部１６によりカップＣのカップ口辺縁に嵌合させることができる。
【００２４】
図７と図８にカバー層２０の外観構造図と断面構造図を示す。カバー層２０の好ましい構造はプラスチック片であり、カバー層２０は透明または不透明の材料を採用して製造でき（本発明の図面に示す実施方法は不透明の材料を使用して製造されている）、該キャップ部１２の外側に接合される。例えば、カバー層２０は接着剤でキャップ部１２の外側に接着することができる。好ましい実施方法の１つにおいて、カバー層２０は超音波溶着により該キャップ部１２の外側に接合され、カバー層２０の好ましい大きさは、該隆起部１１と該キャップ部１２の上方を被覆できる大きさである。図４の操作を示す断面図に示すように、使用者はキャップ部１２に対して力を加えることで該連接部１３を切断することができ、該キャップ部１２と該隆起部１１を分離させた後、該隆起部１１の上端に開口１４が露出され（図５参照）、使用者がこの開口１４を通じてカップＣの中の飲料を飲用することができる。
【００２５】
本発明の別の好ましい実施例の構造として（図５及び図６を参照）、そのうち、蓋体１０の上部外側に蓋体１０に凹陥した収容槽１８が設けられ、該隆起部１１から分離した後の該キャップ部１２を該キャップ部１２外側に接合された部分の該カバー層２０と共に該収容槽１８に押し入れることができ、キャップ部１２とカバー層２０を一時的に置く位置として用い、使用者は隨時カバー層２０を再び隆起部１１と開口１４に被せ、異物や埃が開口１４からカップＣの中に進入し、飲料が汚染されることがないようにすることができる。
【実施例２】
【００２６】
図９に本発明のカバー層を備えたカップ蓋の別の一実施例の構造分解図を示す。蓋体１０の別の好ましい構造として、該蓋体１０はさらにカップＣと外部の大気を連通する通気孔１７を備えている。
本発明についてすでに上述の実施例を通じて開示したが、上述の説明は本発明を限定するために用いるものではなく、当業者であれば本発明の要旨と範囲を逸脱することなく幾許かの変更と修飾が可能であろう。このため、本発明の請求の範囲は本明細書に添付された請求項の定義に準じる。
【符号の説明】
【００２７】
Ｃ  カップ
１０  蓋体
１１  隆起部
１２  キャップ部
１３  連接部
１４  開口
１５  凹陥溝
１６  突出部
１７  通気孔
１８  収容槽
２０  カバー層
【図１】
2020019566.tif 000003
【図２】
2020019566.tif 000004
【図３】
2020019566.tif 000005
【図４】
2020019566.tif 000006
【図５】
2020019566.tif 000007
【図６】
2020019566.tif 000008
【図７】
2020019566.tif 000009
【図８】
2020019566.tif 000010
【図９】
2020019566.tif 000011